(57)【特許請求の範囲】
【請求項１】
印刷部で印刷が終了した枚葉紙２をチェーングリッパ３により排紙台４上に搬送落下させて積載する両面枚葉印刷機における排紙装置であって、前記排紙台４の上流に所定長さの真空ボックス５を枚葉紙２の走行方向に設けると共に、該真空ボックス５の上面にスライドし枚葉紙２の走行方向に回転するエンドレスのタイミングベルト６を設けてなり、前記タイミングベルト６は、前記真空ボックス５内に通ずる吸引孔７を有し、その回転数を前記印刷部の回転数と同一にして前記真空ボックス５の上流端５ａで枚葉紙２のくわえ尻２ａと前記吸引孔７とを合致させ、かつ少なくとも前記チェーングリッパ３が枚葉紙２を離し前記タイミングベルト６の吸引孔７が前記真空ボックス５から外れるまでの間前記タイミングベルト６の走行スピードを変速装置８により減速させることを特徴とする両面枚葉印刷機における排紙装置。
【請求項２】
前記変速装置８は、前記印刷部の回転数と同一回転するカム20と、スプロケット21、22を回転自在に並設し前記カム20により進退移動させるスプロケット移動枠23と、該スプロケット移動枠23の一側に設け少なくとも２つのスプロケット24、25を回転自在に並設した駆動部26と、前記スプロケット移動枠23の他側に設け少なくとも２つのスプロケット27、28を回転自在に並設した従動部29と、前記スプロケット移動枠23のスプロケット21から前記駆動部26のスプロケット24、25、スプロケット移動枠のスプロケット22、従動部29のスプロケット27、28に順次に掛け元の前記スプロケット21に戻すエンドレスのチェーン30と、からなり、前記駆動部26のいずれかのスプロケット24、25を印刷部の駆動軸50に設けている請求項１記載の両面枚葉印刷機における排紙装置。
【発明の詳細な説明】
【０００１】
【産業上の利用分野】
本発明は、枚葉印刷機における排紙装置に関し、特に両面印刷後の枚葉紙を支障なく排紙するための両面枚葉印刷機における排紙装置に関する。
【０００２】
【従来の技術】
枚葉印刷機においては、印刷部にて印刷が完了した枚葉紙をチェーンに数個連着されているチェーングリッパによって所定の位置まで搬送し積載しているが、印刷スピードが速いために排紙台上に枚葉紙を良好に積載することができず、それがためにエアーによる吸引装置を装備し常時回転している吸引車を取付けて、搬送中の枚葉紙を吸着させチェーングリッパが紙放しを行ったときに枚葉紙のスピードを減速させ紙当てにて紙揃えして排紙台上に枚葉紙を良好に積載するようにしていた。
【０００３】
【発明が解決しようとする課題】
しかしながら、枚葉紙のスピードを減速させるために吸引装置の吸引車を使用することは、枚葉紙の片面のみを印刷している場合には特に支障がないが、両面に印刷してある場合は、まだ充分に乾燥しきっていない印刷面に吸引車が当たるため、その部分の印刷部分が剥れたり、薄くなったり、あるいは擦れることによる汚れが発生したりする虞れがある。
【０００４】
そこで、本発明は、上記事情に鑑みてなされたもので、片面はむろんのこと両面に印刷された枚葉紙であっても、その印刷部分に支障を与えないで枚葉紙を減速し、排紙台上に搬送落下させることができるようにした両面枚葉印刷機における排紙装置を提供することを課題とする。
【０００５】
【課題を解決するための手段】
上記課題を解決するため、本発明の両面枚葉印刷機における排紙装置は、印刷部で両面印刷が終了した枚葉紙２をチェーングリッパ３により排紙台４上に搬送落下させて積載する両面枚葉印刷機における排紙装置であって、前記排紙台４の上流に所定長さの真空ボックス５を枚葉紙２の走行方向に設けると共に、該真空ボックス５の上面にスライドし枚葉紙２の走行方向に回転するエンドレスのタイミングベルト６を設けてなり、前記タイミングベルト６は、前記真空ボックス５内に通ずる吸引孔７を有し、その回転数を前記印刷部の回転数と同一にして前記真空ボックス５の上流端５ａで枚葉紙２のくわえ尻２ａと前記吸引孔７とを合致させ、かつ少なくとも前記チェーングリッパ３が枚葉紙２を離し前記タイミングベルト６の吸引孔７が前記真空ボックス５から外れるまでの間前記タイミングベルト６の走行スピードを変速装置８により減速させるものであり、前記変速装置８は、前記印刷部の回転数と同一回転するカム20と、スプロケット21、22を回転自在に並設し前記カム20により進退移動させるスプロケット移動枠23と、該スプロケット移動枠23の一側に設け少なくとも２つのスプロケット24、25を回転自在に並設した駆動部26と、前記スプロケット移動枠23の他側に設け少なくとも２つのスプロケット27、28を回転自在に並設した従動部29と、前記スプロケット移動枠23のスプロケット21から前記駆動部26のスプロケット24、25、スプロケット移動枠のスプロケット22、従動部29のスプロケット27、28に順次に掛け元の前記スプロケット21に戻すエンドレスのチェーン30とからなり、前記駆動部26のいずれかのスプロケット24、25を印刷部の駆動軸50に設けたものである。
【０００６】
【作用】
上記構成になる両面枚葉印刷機における排紙装置１によれば、チェーングリッパ３により搬送されて来た枚葉紙２は、真空ボックス５の上流端５ａで枚葉紙２のくわえ尻２ａとタイミングベルト６の吸引孔７とが合致して吸引され、チェーングリッパ３の搬送スピードと同様の速さでタイミングベルト６と共に搬送され、更に、チェーングリッパ３が枚葉紙２を離すと同時に変速装置８によりタイミングベルト６が減速するから、枚葉紙２はタイミングベルト６と共に減速し、タイミングベルト６の吸引孔７が真空ボックス５から外れると、タイミングベルト６から枚葉紙２が離れて、排紙台４上に積載する。
【０００７】
また、印刷部の回転数と同一回転するカム20が１回転すると、そのカム20によりスプロケット移動枠23が従動部29におけるチェーン30の走行方向と逆の方向に移動するから、従動部29のスプロケット27、28の回転が遅くなり、逆にカム20によりスプロケット移動枠23が従動部29におけるチェーン３０の走行方向と同一方向に移動すると、従動部29のスプロケット27、28の回転が速くなる。
【０００８】
【実施例】
以下、本発明の実施例について図面に基づいて詳述する。図１は本発明の両面枚葉印刷機における排紙装置の概要を示す側面図、図２は本発明の両面枚葉印刷機における排紙装置の概要を示す正面図、図３は本発明の一部を構成する変速装置の概要を示す側面図である。図において、本発明の両面枚葉印刷機における排紙装置（以下単に排紙装置という）１は、印刷部で印刷が終了した枚葉紙２をチェーングリッパ３により排紙台４上に搬送落下させて積載するものであって、排紙台４の上流に所定長さの真空ボックス５を枚葉紙２の走行方向に設けると共に、真空ボックス５の上面にスライドし枚葉紙２の走行方向に回転するエンドレスのタイミングベルト６を設けてなり、このタイミングベルト６は、真空ボックス５内に通ずる吸引孔７を有し、その回転数を印刷部の回転数と同一にして真空ボックス５の上流端５ａで枚葉紙２のくわえ尻２ａと吸引孔７とを合致させ、かつ少なくともチェーングリッパ３が枚葉紙２を離しタイミングベルト６の吸引孔７が真空ボックス５から外れるまでの間タイミングベルト６の走行スピードを変速装置８により減速させるものである。
【０００９】
前記印刷部は、枚葉紙２の両面を印刷するものが本発明ではより一層その効果を顕著にするが、片面印刷であっても何らさしつかえない。
前記真空ボックス５は、チェーングリッパ３により搬送する枚葉紙２の走行方向に沿ってその中心軸線上に位置し、しかも排紙台４の直前に設けられる。この真空ボックス５はパイプ10により真空発生源（不図示）に接続される。そして、この真空ボックス５は２枚のフラットバー11、11により支持され、その上面上を前記タイミングベルト６がスライドする。
【００１０】
このタイミングベルト６は、ゴム製であり、前述のフラットバー11、11に回転自在に軸支したロール12、13に掛けられている。タイミングベルト６の幅方向の両側に歯14、14が設けられ、この歯14、14に噛み合うようにロール12、13にも軸方向両端に歯が設けられている。タイミングベルト６の歯14、14の間は、フラット15になっており、更に、このフラット15部分に１つの前記吸引孔７を設けており、タイミングベルト６は、上述のように、真空ボックス５上をスライドするようになっている。なお、ロール13には、タイミングベルト６のテンション装置16が設けられており、ボルト17によりゴム製のタイミングベルト６を常時緊張させたり、緩めることができる。
【００１１】
上記タイミングベルト６は、１回転するうちに、前記変速装置８により前記チェーングリッパ３の搬送スピードと同一速さで走行する区間と、その同一速さを遅くした速さで走行する区間とになる。
【００１２】
前記変速装置８は、印刷部の回転数と同一回転するカム20と、スプロケット21、22を回転自在に並設しカム20により進退移動させるスプロケット移動枠23と、このスプロケット移動枠23の一側に設け少なくとも２つのスプロケット24、25を回転自在に並設した駆動部26と、スプロケット移動枠23の他側に設け少なくとも２つのスプロケット27、28を回転自在に並設した従動部29と、スプロケット移動枠23のスプロケット21から駆動部26のスプロケット24、25、スプロケット移動枠23のスプロケット22、従動部29のスプロケット27、28に順次に掛け元のスプロケット21に戻すエンドレスのチェーン30と、を主要構成要素としてなる。
【００１３】
前記カム20は印刷部の版胴と同じ回転数を有する軸40に取り付けられ、スプロケット移動枠23は印刷機本体フレームなどに図３の矢線Ａ、Ｂに示すように進退移動可能に設けられている。
【００１４】
そして、これらカム20とスプロケット移動枠23との間には、カム20の回転をスプロケット移動枠23に進退運動に変えるレバー41及びリンク42が介在している。レバー41は、略Ｌ字形をなしその中間部が軸43に回動自在に設けられ、コロ44、45によりカム20に当接し、更に一端がリンク42の一端に回動自在に連結し、リンク42の他端はスプロケット移動枠23の一端に回動自在に連結している。
【００１５】
前記駆動部26は、スプロケット24を駆動軸50に取り付け、前記チェーン30にテンションをかけるためのスプロケット51、52を有している。
前記従動部29は、スプロケット27を従動軸53に取り付け、前記チェーン30にテンションをかけるためのスプロケット54、55を有している。そして、従動軸53には、ギヤー61が取り付けられ、このギヤー61に噛み合うギヤー62、63により前記タイミングベルト６を回転させるための伝動装置60に回転を伝達している。すなわち、ギヤー63の取付軸に伝動装置60のスプロケット64が取り付けられ、この伝動装置60は、エンドレスのチェーン65がスプロケット64、66、67、68、69、70とエ字状に掛けられている。このエンドレスのチェーン65に上述の排紙装置１のロール12の軸12ａに取り付けたスプロケット75を掛け、タイミングベルト６にその回転を伝達している。
【００１６】
なお、伝動装置60のスプロケット配列がエ字状になっているのは、枚葉紙２のサイズ変化に伴なって、後部紙揃え板71を取り付けた排紙装置１をギヤー72及びこれに噛み合うラック73により、すなわち、ラック73に固定してある排紙装置１を移動させることができるようにするためである。また、図１中74は紙当て板である。
【００１７】
次に上記構成になる両面枚葉印刷機の排紙装置１の作動について詳述する。まず、枚葉紙２のサイズに合せてギヤー72を回転させ、ラック73に固定してある排紙装置１を移動し、すなわち、伝動装置60のチェーン65上にスプロケット75を回転させ移動させる。次に、タイミングベルト６が回転してその吸引孔７が真空ボックス５の上流端５ａに達した時に、枚葉紙２のくわえ尻２ａが位置するように調整し、かつ枚葉紙２のくわえ尻２ａが真空ボックス５の長手方向長さの中間よりやや排紙台４側に達した時、チェーングリッパ３が枚葉紙２を離すと共に、変速装置８によりタイミングベルト６の走行スピードを吸引孔７が真空ボックス５を通過するまで遅くし、再び元のスピードに戻るように調整し準備を完了する。
【００１８】
印刷部で両面を印刷された枚葉紙２は、チェーングリッパ３によりその前端をくわえられて排紙装置１に搬送されて来る。枚葉紙２のくわえ尻２ａが真空ボックス５の上流端５ａに達する時、タイミングベルト６の吸引孔７もその位置に来ているから、枚葉紙２のくわえ尻２ａは吸引孔７により吸引され、タイミングベルト６に吸着されている状態になる。枚葉紙２のくわえ尻２ａは、通常印刷しろになっているから、両面印刷されていても特に支障がない。そして、タイミングベルト６はチェーングリッパ３と同一速度で走行しているから、枚葉紙２を吸着したままタイミングベルト６が走行するが、チェーングリッパ３が枚葉紙２を離すと同時に、変速装置８のカム20によりレバー41及びリンク42を介して図３中Ａ方向にスプロケット移動枠23を移動させるから、駆動軸50の回転スピードを減速して従動軸53に伝達し、その従動軸53からギヤー61、62、63により伝動装置60に伝達し、その伝動装置60のチェーン65のスピードも減速し排紙装置１のロール12の軸12ａに取り付けたスプロケット75を減速するから、タイミングベルト６の走行スピードは減速し枚葉紙２も共に減速する。タイミングベルト６の吸引孔７が真空ボックス５から離れると、枚葉紙２に対する吸引力がなくなるから、タイミングベルト６から枚葉紙２が離れて落下し、紙当て板74に当り後部紙揃え板71との間に位置する排紙台４に静かに積載する。
【００１９】
一方、枚葉紙２を離したタイミングベルト６は、カム20により図３中Ｂ方向にスプロケット移動枠23を移動させるから、前述と逆に増速して元のスピード、すなわち、チェーングリッパ３の走行スピードと同じになる。以下、上述と同様な動作をくり返して、枚葉紙２に両面印刷して、まだ充分に印刷部分が乾ききっていなくても、印刷部分を剥したり、こすれて汚すこともなく排紙台４上に枚葉紙２を排紙積載することができる。
【００２０】
【発明の効果】
以上詳述したように、本発明の両面枚葉印刷機における排紙装置によれば、チェーングリッパにより搬送されて来た枚葉紙は、真空ボックスの上流端で枚葉紙のくわえ尻とタイミングベルトの吸引孔とが合致して吸引され、チェーングリッパの搬送スピードと同様の速さでタイミングベルトと共に搬送され、更に、チェーングリッパが枚葉紙を離すと同時に変速装置によりタイミングベルトが減速するから、枚葉紙はタイミングベルトと共に減速し、タイミングベルトの吸引孔が真空ボックスから外れると、タイミングベルトから枚葉紙が離れて、排紙台上に積載することができる。従って、片面を印刷した枚葉紙は無論のこと、両面に印刷された枚葉紙であっても、その印刷部分に支障を与えないで減速し、排紙台上に静に搬送落下させることができる効果がある。
【００２１】
また、印刷部の回転数と同一回転するカムが１回転すると、そのカムによりスプロケット移動枠が従動部におけるチェーンの走行方向と逆の方向に移動するから、従動部のスプロケットの回転が遅くなり、逆にカムによりスプロケット移動枠が従動部におけるチェーンの走行方向と同一方向に移動すると、従動部のスプロケットの回転が速くなる。従って、簡単な構成でありながら、カムの形状によりタイミングベルトの１回転中に回転スピードを速い区間と遅い区間とに自在にすることができ、上記発明の効果を一層顕著にする。
【図面の簡単な説明】
【図１】本発明の枚葉印刷機における排紙装置の概要を示す側面図。
【図２】本発明の枚葉印刷機における排紙装置の概要を示す正面図。
【図３】本発明の一部を構成する変速装置の概要を示す側面図。
【符号の説明】
１    枚葉印刷機における排紙装置
２    枚葉紙                  ２ａ    くわえ尻
３    チェーングリッパ        ４    排紙台
５    真空ボックス            ５ａ    上流端
６    タイミングベルト        ７    吸引孔
８    変速装置                20    カム
21、22、24、25、27、28    スプロケット
23    スプロケット移動枠      26    駆動部
29    従動部                  30    チェーン
50    駆動軸
【図１】
0003718536.tif 000002
【図２】
0003718536.tif 000003
【図３】
0003718536.tif 000004